(57)【要約】  【課題】  システムに負担をかけることなく不適切コンテンツの投稿を抑制できるコンテンツ投稿装置を提供する。  【解決手段】  ＩＣカード情報取得部１８は、ＩＣカード１２ａから利用者ＩＤを取得する。利用者ＩＤはコンテンツ管理サーバ３０へ送信される。コンテンツ管理サーバ３０の投稿可能数決定部３９は、投稿可能数ＤＢ３４から対応する投稿可能数情報を取得する。投稿可能数情報はコンテンツ投稿装置１０に送られる。制御部１４は、メディアリーダ１３からコンテンツを読み出し、コンテンツ選択画面を表示部１５に表示する。コンテンツ選択画面には投稿可能数情報が表示されるとともに、投稿可能数を上回る数のコンテンツの選択が制限される。選択されたコンテンツがコンテンツ管理サーバ３０へ送信されると、送信したコンテンツ数に応じた対価額が、ＩＣカードの電子マネー残高に加算される。【選択図】  図１
2010237981.tif 000002
【特許請求の範囲】
【請求項１】
コンテンツ投稿装置からコンテンツ管理サーバにコンテンツを投稿するシステムにおいて、
前記コンテンツ管理サーバは、前記コンテンツの投稿可能数を示す投稿可能数情報を、前記コンテンツを投稿する利用者の識別情報と対応づけて記録する投稿可能数記録部を備え、
前記コンテンツ投稿装置は、
前記利用者のＩＣカードから、前記利用者の識別情報を取得する識別情報取得部と、
前記識別情報を前記コンテンツ管理サーバへ送信する通信部と、
前記識別情報に対応する前記投稿可能数情報を、前記投稿可能数記録部より取得する投稿可能数情報取得部と、
前記利用者によって選択された前記コンテンツを、前記投稿可能数を上限として取得するコンテンツ取得部とを備えたことを特徴とするコンテンツ投稿システム。
【請求項２】
前記コンテンツ投稿装置は、前記コンテンツの選択時に前記投稿可能数情報を表示する表示部を備えたことを特徴とする、請求項１記載のコンテンツ投稿システム。
【請求項３】
前記コンテンツ管理サーバは、前記ＩＣカードの利用履歴を示す履歴情報を前記識別情報と対応づけて記録する履歴情報記録部と、
前記履歴情報に基づいて前記投稿可能数の増加分を示す追加投稿可能数を算出し、前記識別情報と対応する前記投稿可能数情報を更新する投稿可能数決定部と、
を備えたことを特徴とする請求項１または２記載のコンテンツ投稿システム。
【請求項４】
前記コンテンツ管理サーバは、投稿された前記コンテンツを前記識別情報と対応づけて記録するコンテンツ記録部と、
前記コンテンツに対する評価値を示す評価情報を取得する評価情報取得部と、
前記評価値に基づいて前記投稿可能数の増加分を示す追加投稿可能数を算出し、前記識別情報と対応する前記投稿可能数情報を更新する投稿可能数決定部と、
を備えたことを特徴とする請求項１または２記載のコンテンツ投稿システム。
【請求項５】
前記ＩＣカードには利用可能額を示す残高情報が記録されており、
前記コンテンツ管理サーバは、投稿された前記コンテンツの数に応じた対価額を算出する対価額算出部を備え、
前記コンテンツ投稿装置は、前記利用可能額に前記対価額を加えることで前記残高情報を更新する残高処理部を備えたことを特徴とする請求項１〜３のいずれか記載のコンテンツ投稿システム。
【請求項６】
前記ＩＣカードには利用可能額を示す残高情報が記録されており、
前記コンテンツ管理サーバは、投稿された前記コンテンツを前記識別情報と対応づけて記録するコンテンツ記録部と、
前記コンテンツに対する評価値を示す評価情報を取得する評価情報取得部と、
前記評価値に基づいて前記コンテンツの対価額を算出する対価額算出部を備え、
前記コンテンツ投稿装置は、前記識別情報に対応するコンテンツの対価額を前記コンテンツ管理サーバより取得し、前記利用可能額に前記対価額を加えることで前記残高情報を更新する残高処理部を備えたことを特徴とする、請求項１〜３のいずれか記載のコンテンツ投稿システム。
【請求項７】
前記コンテンツ管理サーバは、前記コンテンツ投稿装置から投稿された前記コンテンツを取得するとともに、投稿済みの前記コンテンツと同一である場合には前記投稿されたコンテンツを削除するコンテンツ取得部を備えたことを特徴とする、請求項１〜６のいずれか記載のコンテンツ投稿システム。
【請求項８】
コンテンツ管理サーバにコンテンツを投稿するためのコンテンツ投稿装置において、
前記コンテンツを投稿する利用者のＩＣカードから、前記利用者の識別情報を取得する識別情報取得部と、
前記識別情報を前記コンテンツ管理サーバへ送信する通信部と、
前記コンテンツの投稿可能数を示す、前記識別情報に対応した投稿可能数情報を、前記コンテンツ管理サーバより取得する投稿可能数情報取得部と、
前記利用者によって選択された前記コンテンツを、前記投稿可能数を上限として取得するコンテンツ取得部とを備えたことを特徴とするコンテンツ投稿装置。
【請求項９】
前記コンテンツの選択時に前記投稿可能数情報を表示する表示部を備えたことを特徴とする、請求項８記載のコンテンツ投稿装置。
【請求項１０】
前記ＩＣカードの利用履歴を示す履歴情報を取得する履歴情報取得部を備え、
前記投稿可能数情報取得部は、前記投稿可能数の増加分を示す追加投稿可能数を前記履歴情報に基づいて算出し、前記投稿可能数情報を更新することを特徴とする、請求項８または９記載のコンテンツ投稿装置。
【請求項１１】
投稿された前記コンテンツに対する評価値に基づいて定められ、前記投稿可能数の増加分を示す追加投稿可能数情報を、前記コンテンツ管理サーバより取得し、前記投稿可能数情報を更新することを特徴とする、請求項８または９記載のコンテンツ投稿装置。
【請求項１２】
前記ＩＣカードには利用可能額を示す残高情報が記録されており、
投稿された前記コンテンツの数に応じた対価額を算出し、前記利用可能額に前記対価額を加えることで前記残高情報を更新する残高処理部を備えたことを特徴とする、請求項８〜１０のいずれか記載のコンテンツ投稿装置。
【請求項１３】
前記ＩＣカードには利用可能額を示す残高情報が記録されており、
投稿された前記コンテンツに対する評価値に基づいて定められる、前記コンテンツの対価額を示す対価額情報を前記コンテンツ管理サーバより取得し、前記利用可能額に前記対価額を加えることで前記残高情報を更新する残高処理部を備えたことを特徴とする、請求項８〜１０のいずれか記載のコンテンツ投稿装置。
【請求項１４】
コンテンツ投稿装置からコンテンツ管理サーバにコンテンツを投稿する方法において、
前記コンテンツ管理サーバにおいて、前記コンテンツの投稿可能数を示す投稿可能数情報を、前記コンテンツを投稿する利用者の識別情報と対応づけて記録し、
前記コンテンツ投稿装置において、前記利用者のＩＣカードから前記利用者の識別情報を取得し、前記識別情報を前記コンテンツ管理サーバへ送信し、前記識別情報に対応する前記投稿可能数情報を前記コンテンツ管理サーバより取得し、前記利用者によって選択された前記コンテンツを、前記投稿可能数を上限として取得することを特徴とする、コンテンツ投稿方法。
【請求項１５】
コンテンツ管理サーバにコンテンツを投稿するためのコンテンツ投稿プログラムであって、コンピュータに対し、
前記コンテンツを投稿する利用者のＩＣカードから、前記利用者の識別情報を取得するステップと、
前記識別情報を前記コンテンツ管理サーバへ送信するステップと、
前記コンテンツの投稿可能数を示す、前記識別情報に対応した投稿可能数情報を、前記コンテンツ管理サーバより取得するステップと、
前記利用者によって選択された前記コンテンツを、前記投稿可能数を上限として取得するステップとを実行させることを特徴とするコンテンツ投稿プログラム。
【発明の詳細な説明】
【技術分野】
【０００１】
本発明は、画像や音声等のコンテンツを投稿するための装置及びシステムに関する。
【背景技術】
【０００２】
ネットワークの普及により、画像や音声といったコンテンツを収集し、データベースとして活用することが広く行われている。ここでは、データベースの利用者がコンテンツをデータベースへ投稿するとともに、他の利用者によって投稿されたコンテンツを閲覧・再生し、あるいは画像をプリントアウトすることができる。  
【０００３】
また、データベースの利用者に対し、コンテンツ投稿の対価としてポイントを付与し、このポイントをデータベース事業者の加盟店において現金の代わりとして利用可能とすることで、コンテンツの投稿を促進することができる。ただし、投稿数に応じてポイントを付与してしまうと、ポイント獲得目的で同一コンテンツを繰り返し投稿する利用者が出るため、データベース事業者にとって不必要なコンテンツが収集されるという問題が生じる。
【０００４】
そこで、特許文献１記載のデータ確認システムでは、投稿画像と不適切サンプル画像との特徴点を比較し、類似度が一定値以上であると判断した場合に、不適切画像であると判定する。これにより、不適切なコンテンツが投稿された場合には、自動でコンテンツを確認して削除することができるので、不適切なコンテンツが収集されることを防止することができる。
【特許文献１】特開２００６−２９３４５５号公報
【発明の開示】
【発明が解決しようとする課題】
【０００５】
しかしながら、前記特許文献１のシステムでは、データベース事業者において不適切サンプル画像を予め用意しておく必要がある。不適切サンプル画像を正確に定義し、かつ網羅的に容易・管理することは、コスト増の観点から好ましくない。
【０００６】
本発明は、簡易な構成により不適切コンテンツの投稿を抑制できるコンテンツ投稿装置及びシステムを提供することを目的とする。
【課題を解決するための手段】
【０００７】
本発明のコンテンツ投稿システムは、コンテンツ投稿装置とコンテンツ管理サーバから構成され、コンテンツ管理サーバは、前記コンテンツの投稿可能数を示す投稿可能数情報を、前記コンテンツを投稿する利用者の識別情報と対応づけて記録する投稿可能数記録部を備え、前記コンテンツ投稿装置は、前記利用者のＩＣカードから、前記利用者の識別情報を取得する識別情報取得部と、前記識別情報を前記コンテンツ管理サーバへ送信する通信部と、前記識別情報に対応する前記投稿可能数情報を、前記投稿可能数記録部より取得する投稿可能数情報取得部と、前記利用者によって選択された前記コンテンツを、前記投稿可能数を上限として取得するコンテンツ取得部とを備えたことを特徴とする。
【０００８】
この構成により、利用者毎に定められた投稿可能数を超える数のコンテンツ投稿を防止することができるから、簡易な構成により不適切コンテンツの投稿を抑制することができる。
【０００９】
本発明のコンテンツ投稿システムにおいて、コンテンツ投稿装置は、前記コンテンツの選択時に前記投稿可能数情報を表示する表示部を備えたことを特徴とする。
【００１０】
この構成により、コンテンツ投稿装置の利用者は、コンテンツが投稿可能であるか否かを容易に認識することができるから、不適切コンテンツの投稿を抑制することができる。
【００１１】
本発明のコンテンツ投稿システムにおいて、前記コンテンツ管理サーバは、前記ＩＣカードの利用履歴を示す履歴情報を前記識別情報と対応づけて記録する履歴情報記録部と、前記履歴情報に基づいて前記投稿可能数の増加分を示す追加投稿可能数を算出し、前記識別情報と対応する前記投稿可能数情報を更新する投稿可能数決定部とを備えたことを特徴とする。
【００１２】
これにより、例えばＩＣカードの利用額に応じてコンテンツの投稿可能数が増加するから、ＩＣカードの利用を促進することができる。
【００１３】
本発明のコンテンツ投稿システムにおいて、前記コンテンツ管理サーバは、投稿された前記コンテンツを前記識別情報と対応づけて記録するコンテンツ記録部と、前記コンテンツに対する評価値を示す評価情報を取得する評価情報取得部と、前記評価値に基づいて前記投稿可能数の増加分を示す追加投稿可能数を算出し、前記識別情報と対応する前記投稿可能数情報を更新する投稿可能数決定部とを備えたことを特徴とする。
【００１４】
この構成により、投稿したコンテンツの評価値に応じてコンテンツの投稿可能数が増加するから、データベース事業者は、質の高いコンテンツを収集することができる。
【００１５】
本発明のコンテンツ投稿システムにおいて、前記ＩＣカードには利用可能額を示す残高情報が記録されており、前記コンテンツ管理サーバは、投稿された前記コンテンツの数に応じた対価額を算出する対価額算出部を備え、前記コンテンツ投稿装置は、前記利用可能額に前記対価額を加えることで前記残高情報を更新する残高処理部を備えたことを特徴とする。
【００１６】
この構成により、投稿したコンテンツの数に応じた額の対価が付与されるから、利用者によるコンテンツ投稿を促進することができる。
【００１７】
本発明のコンテンツ投稿システムにおいて、前記ＩＣカードには利用可能額を示す残高情報が記録されており、前記コンテンツ管理サーバは、投稿された前記コンテンツを前記識別情報と対応づけて記録するコンテンツ記録部と、前記コンテンツに対する評価値を示す評価情報を取得する評価情報取得部と、前記評価値に基づいて前記コンテンツの対価額を算出する対価額算出部を備え、前記コンテンツ投稿装置は、前記識別情報に対応するコンテンツの対価額を前記コンテンツ管理サーバより取得し、前記利用可能額に前記対価額を加えることで前記残高情報を更新する残高処理部を備えたことを特徴とする。
【００１８】
この構成により、投稿したコンテンツの評価値に応じた額の対価が付与されるから、データベースの事業者は、質の高いコンテンツを収集することができる。
【００１９】
本発明のコンテンツ投稿システムにおいて、コンテンツ管理サーバは、前記コンテンツ投稿装置から投稿された前記コンテンツを取得するとともに、投稿済みの前記コンテンツと同一である場合には前記投稿されたコンテンツを削除するコンテンツ取得部を備えたことを特徴とする。
【００２０】
この構成により、既に投稿されたものと同一のコンテンツが投稿されるのを防止することができ、コンテンツ管理サーバにおいて不必要なコンテンツが収集されるのを防止することができる。
【００２１】
本発明の別の態様としてのコンテンツ投稿装置は、コンテンツを投稿する利用者のＩＣカードから、前記利用者の識別情報を取得する識別情報取得部と、前記識別情報を前記コンテンツ管理サーバへ送信する通信部と、前記コンテンツの投稿可能数を示す、前記識別情報に対応した投稿可能数情報を、前記コンテンツ管理サーバより取得する投稿可能数情報取得部と、前記利用者によって選択された前記コンテンツを、前記投稿可能数を上限として取得するコンテンツ取得部とを備えた構成を有する。この構成によっても、上記の本発明の効果が好適に得られる。
【００２２】
本発明の別の態様としてのコンテンツ投稿方法は、コンテンツ管理サーバにおいて、前記コンテンツの投稿可能数を示す投稿可能数情報を、前記コンテンツを投稿する利用者の識別情報と対応づけて記録し、前記コンテンツ投稿装置において、前記利用者のＩＣカードから前記利用者の識別情報を取得し、前記識別情報を前記コンテンツ管理サーバへ送信し、前記識別情報に対応する前記投稿可能数情報を前記コンテンツ管理サーバより取得し、前記利用者によって選択された前記コンテンツを、前記投稿可能数を上限として取得する構成を有する。この構成によっても、上記の本発明の効果が好適に得られる。
【００２３】
本発明の別の態様としてのコンテンツ収集プログラムは、コンピュータに対し、コンテンツを投稿する利用者のＩＣカードから、前記利用者の識別情報を取得するステップと、前記識別情報を前記コンテンツ管理サーバへ送信するステップと、前記コンテンツの投稿可能数を示す、前記識別情報に対応した投稿可能数情報を、前記コンテンツ管理サーバより取得するステップと、前記利用者によって選択された前記コンテンツを、前記投稿可能数を上限として取得するステップとを実行させる構成を有する。この構成によっても、上記の本発明の効果が好適に得られる。
【発明の効果】
【００２４】
上記のように、本発明は、コンテンツ投稿可能数を定めて投稿可能なコンテンツの数を制限したから、簡易な構成により、不必要なコンテンツが収集されるのを防止することができる。
【発明を実施するための最良の形態】
【００２５】
以下、本発明の実施の形態のコンテンツ収集システムについて、図面を参照して説明する。図１は、第１の実施形態に係るコンテンツ収集システムの構成を示すブロック図である。コンテンツ収集システムは、利用者がコンテンツを投稿する際に用いられるコンテンツ投稿装置１０と、投稿されたコンテンツを収集し管理するコンテンツ管理サーバ３０から構成され、これらは通信ネットワーク５０を介して接続される。
【００２６】
コンテンツ投稿装置１０は、店舗や公共交通機関の待合所といった施設に設置され、図示しないＣＰＵ、ＲＯＭ、ＲＡＭ、記憶装置及びこれらを接続するバス等によって構成されるコンピュータであり、ＲＯＭに書き込まれたプログラムに従って、ＣＰＵが演算処理を実行することにより、画像や音声等から構成されるコンテンツをコンテンツ管理サーバ３０へ送信するものである。コンテンツ投稿装置１０は、通信部１１、ＩＣカードＲ／Ｗ１２、メディアリーダ１３、制御部１４、表示部１５及び操作入力部１６を備える。
【００２７】
通信部１１は、コンテンツ管理サーバ３０に対して、コンテンツやＩＣカード情報のデータを送信するとともに、コンテンツ管理サーバ３０からコンテンツ投稿可能数や対価情報といったデータを受信する。
【００２８】
ＩＣカードＲ／Ｗ１２は、電子マネーとして利用されるＩＣカード１２ａから各種情報を読み出すとともに、ＩＣカード１２ａに情報を記録するものである。ＩＣカード１２ａには、利用者毎に定められた利用者ＩＤのほかに、電子マネー残高情報及び利用履歴情報が記録されている。
【００２９】
電子マネー残高情報は、交通機関、レストラン、商店等において、現金の代わりとして利用することのできる電子マネーの残高を示したものである。利用履歴情報は、利用者がＩＣカードを利用した履歴を示したものであり、例えば利用場所、利用額及び利用時間といった情報を含む（図４参照）。
【００３０】
メディアリーダ１３は、例えばメモリカードリーダやＤＶＤ装置であり、メモリカードやＤＶＤ等に記録された利用者のコンテンツを読み出す際に利用される。
【００３１】
制御部１４は、コンテンツ投稿装置１０において、コンテンツ及びＩＣカード情報のデータを処理し、入出力制御を行うものであり、コンテンツ取得部１７、ＩＣカード情報取得部１８、投稿可能数情報取得部１９及びカード残高処理部２０を備える。
【００３２】
コンテンツ取得部１７は、利用者によって選択されたコンテンツをメディアリーダ１３から読み出して一時的に記憶するとともに、必要に応じて、コンテンツ管理サーバ３０で処理可能な画像フォーマットに変換する。また、コンテンツ取得部１７は選択されたコンテンツを、通信部１１を介してコンテンツ管理サーバ３０へ送信する。
【００３３】
ＩＣカード情報取得部１８は、ＩＣカードに記録された利用者ＩＤ、利用履歴情報及び電子マネー残高情報を、ＩＣカードＲ／Ｗ１２より読み出して一時的に記憶する。利用者ＩＤ及び利用履歴情報は通信部１１を介してコンテンツ管理サーバ３０に送られ、ＩＣカード１２ａの利用履歴に基づいてコンテンツの投稿可能数を決定する際に利用される。また、電子マネー残高情報は、カード残高処理部２０に送られる。
【００３４】
投稿可能数情報取得部１９は、システムの利用者が投稿可能なコンテンツ数を示す投稿可能数情報を、コンテンツ管理サーバ３０より取得して一時的に記憶する。
【００３５】
チャージ額処理部２０は、ＩＣカード１２ａから読み出された電子マネー残高に、コンテンツ管理サーバ３０から送られる対価額を加算するとともに、算出された金額を新たな電子マネー残高として、ＩＣカード１２ａに記録する。
【００３６】
表示部１５は、制御部１４から送られるコンテンツ、投稿可能数情報などのデータに基づき、投稿すべきコンテンツを選択するためのコンテンツ選択画面を表示する。操作入力部１６は、例えばタッチパネルやキーボード、マウスといった入力デバイスであり、投稿すべきコンテンツを選択する際に用いられる。
【００３７】
コンテンツ管理サーバ３０は、図示しないＣＰＵ、ＲＯＭ、ＲＡＭ、これらを接続するバス等によって構成されるとともに、後述する複数のデータベース（ＤＢ）を備えたコンピュータであり、ＲＯＭに書き込まれたプログラムに従って、ＣＰＵが演算処理を実行することにより、コンテンツ投稿装置１０から投稿されたコンテンツを収集・管理するとともに、システムの利用者毎にコンテンツ投稿可能数の情報を更新するものである。
【００３８】
コンテンツ管理サーバ３０は、通信部３１、利用履歴データベース（ＤＢ）３２、コンテンツＤＢ３３、投稿可能数ＤＢ３４、制御部３５から構成される。通信部３１は、コンテンツ投稿装置１０から投稿されるコンテンツ及びＩＣカード情報のデータを受信するとともに、投稿可能数及び対価額のデータをコンテンツ投稿装置１０に送る。
【００３９】
図２に示すように、利用履歴ＤＢ３２は、ＩＣカードを用いて買い物や乗車等が行われた履歴を記録したものであり、利用者ＩＤ、利用場所ＩＤ、利用金額、利用時間のデータが、履歴ＩＤと対応づけて記録される。また、利用履歴ＤＢ３２内には、後述する利用履歴に基づいてコンテンツの投稿可能数を決定する処理の際に、利用履歴が用いられていないことを示す未処理フラグが、履歴ＩＤと対応づけて記録される。同図において、「未処理」の欄が「０」の場合は利用履歴が既に用いられたことを示し、「未処理」の欄が「１」の場合は、利用履歴がコンテンツ投稿可能数を決定する処理に用いられていないことを示す。
【００４０】
図２の例において、履歴ＩＤ「０００１」は、利用者ＩＤ「００１００」に対応する利用者が、利用場所ＩＤ「１３５」に対応する場所（例えば公共交通機関）で、１０時１５分に、ＩＣカード１２ａを利用して１２５０円を支払ったこと、コンテンツの投稿可能数を決定する処理の際にこの利用履歴が用いられたことを示している。
【００４１】
図３に示すように、コンテンツＤＢ３３は、コンテンツ投稿装置１０を介して利用者から投稿されたコンテンツを記憶するものであり、コンテンツの内容を示すコンテンツデータと、コンテンツを投稿した利用者ＩＤ情報とが、コンテンツＩＤに対応づけて記録されている。図３の例では、コンテンツＩＤ「０００１」に対応するコンテンツデータ「ａａａ．ｊｐｇ」が、利用者ＩＤ「００１００」の利用者によって投稿されたことを示す。
【００４２】
図４に示すように、投稿可能数ＤＢ３４には、コンテンツ投稿装置１０から投稿可能なコンテンツ数を示す投稿可能数情報が、利用者ＩＤに対応づけて記録される。この投稿可能数情報は、コンテンツ投稿装置１０においてコンテンツを選択する際に読み出される。図４の例では、利用者ＩＤ「００１００」の利用者は、４０個のコンテンツを投稿可能であることを示す。
【００４３】
図１において、制御部３５は、コンテンツ管理サーバ３０において各種データを処理しあるいは入出力制御を行うためのものであり、コンテンツ取得部３７、ＩＣカード取得部３８、投稿可能数決定部３９及び対価額算出部４０を備える。
【００４４】
コンテンツ取得部３７は、通信部３１を介してコンテンツ投稿装置１０より送信されるコンテンツを一時的に記憶するとともに、コンテンツを利用者ＩＤと対応づけてコンテンツＤＢ３３に記録する。また、コンテンツ取得部３７は、投稿されるコンテンツの数をカウントして、対価額算出部４０に送信する。
【００４５】
ＩＣカード情報取得部３８は、利用者のＩＣカード１２ａに記録されている利用者ＩＤ情報及び利用履歴情報を取得し、一時的に記憶するものである。ＩＣカード情報取得部３８は、取得した利用履歴情報を履歴ＩＤと対応づけて利用履歴ＤＢ３２に記録することで、利用履歴ＤＢを更新する。
【００４６】
投稿可能数決定部３９は、利用者ＩＤに対応する投稿可能数情報を投稿可能数ＤＢ３４から読み出して一時的に記憶する。投稿可能数決定部３９は、利用者ＩＤに対応する利用履歴情報（未処理フラグが「１」の履歴情報に限る。）を利用履歴ＤＢ３２から読み出し、その利用金額の総和を所定値（たとえば５００）で除した値を算出することで、ＩＣカード利用の対価として与えられる追加投稿可能数を算出する。投稿可能数決定部３９は、投稿可能数に追加投稿可能数を加えることで、投稿可能数ＤＢ３４を更新する。また、投稿可能数決定部３９は、投稿されたコンテンツの数を投稿可能数から減じることで、投稿可能数ＤＢ３４を更新する。
【００４７】
対価額算出部４０は、コンテンツ取得部３７から送られる投稿コンテンツ数情報に基づき、コンテンツ投稿の対価としての電子マネー追加額を算出して、対価額情報を取得する。例えば、投稿コンテンツ数を１０倍した値を、対価額として定めることができる。対価額算出部４０は、算出で得られた対価額情報をコンテンツ投稿装置１０に送る。
【００４８】
次に、上記構成によるコンテンツ収集システムの動作について、図５のフローチャートを用いて説明する。まず、コンテンツ投稿装置１０のＩＣカードＲ／Ｗ１３にＩＣカード１２ａがセットされると、ＩＣカード情報取得部１８は、ＩＣカードに記録されている利用者ＩＤ、電子マネー残額及び利用履歴の情報を読み出す（Ｓ１１）。そして、制御部１４は、通信部１１を介して利用者ＩＤ情報をコンテンツ管理サーバ３０に送信する（Ｓ１２）。
【００４９】
コンテンツ管理サーバ３０では、ＩＣカード情報取得部３８において利用者ＩＤ情報を一時的に記憶する。そして、投稿可能数決定部３９は、当該利用者ＩＤに対応する利用履歴（未処理フラグが「１」となっているもの）を抽出する（Ｓ１３）。そして、投稿可能数決定部３８は、抽出された利用履歴に対応する利用金額の総和を所定値で除することで、追加投稿可能数を算出し、これを投稿可能数に加えることで、投稿可能数ＤＢ３４内の投稿可能数情報を更新する（Ｓ１４）。
【００５０】
投稿可能数情報の更新がなされると、投稿可能数決定部３９は、追加投稿可能数の算出に用いられた履歴ＩＤに対応する未処理フラグを全て「０」にする（Ｓ１５）。これにより、追加投稿可能数の算出に用いられた利用履歴情報が、再び用いられるおそれをなくすことができる。
【００５１】
更新された投稿可能数情報は、通信部３１を介してコンテンツ投稿装置１０に送信される（Ｓ１６）。投稿可能数情報を受信したコンテンツ投稿装置１０において、制御部１４は図示しないメディアに記録されたコンテンツをメディアリーダ１３から読み出すとともに、画像であるコンテンツに対してはサムネイル化処理を施した後、コンテンツと投稿可能数情報とを表示部１５に送る。表示部１５では、図示しないＲＯＭ内のプログラムに従い、投稿するコンテンツの選択を利用者に促すためのコンテンツ選択画面を表示する（Ｓ１７）。
【００５２】
図６は、コンテンツ選択画面の一例を示す説明図である。コンテンツ選択画面には、サムネイル化されたコンテンツ画像６１ａ〜６１ｂとともに、投稿可能数を示す情報が表示され、図６の例では「５」と表示されている。これは、利用者が投稿可能なコンテンツ数の上限が５個であることを示す。
【００５３】
利用者は、操作入力部１６を操作して、投稿すべきコンテンツを選択する（Ｓ１８）。コンテンツが選択されると、選択されたコンテンツが反転表示されるとともに、表示部１５に表示される投稿可能数の値が減少する。コンテンツの選択後、画面内の「ＯＫ」ボタンが操作されると、コンテンツ取得部１７は選択されたコンテンツをメディアリーダ１３あるいはコンテンツ投稿装置１０内の図示しないメモリから読み出し、これに利用者ＩＤを対応づけてコンテンツ管理サーバ３０へ送信する。これにより、コンテンツの投稿が行われる（Ｓ１９）。
【００５４】
コンテンツの選択中に投稿可能数が０となった場合は、図８に示すように、「コンテンツを選択できません！」との警告表示をするとともに、以降のコンテンツ選択を拒絶する。これにより、利用者による不必要なコンテンツの投稿を抑制することができる。あるいは、コンテンツ取得部１７において、投稿可能数が０となった以降に選択されたコンテンツを読み出さないように構成しても良い。
【００５５】
コンテンツが投稿されると、コンテンツ管理サーバ３０のコンテンツ取得部３７は、投稿されたコンテンツを一時記憶し、これを利用者ＩＤと対応づけてコンテンツＤＢ３３に記録する（Ｓ２０）。これにより、コンテンツの更新が行われる。そして、コンテンツ取得部３７は、投稿されたコンテンツの数をカウントし、投稿コンテンツ数情報として対価額算出部４０に送る。あるいは、コンテンツ投稿装置１０より投稿コンテンツ数情報を、コンテンツ管理サーバ３０へ送信してもよい。
【００５６】
投稿可能数決定部３９は、利用者ＩＤに対応する投稿可能数情報を投稿可能数ＤＢ３４より読み出して、投稿コンテンツ数だけ減算するとともに、減算した結果を投稿可能数ＤＢ３４に記録することで、投稿可能数情報を更新する（Ｓ２１）。
【００５７】
次に、対価額算出部４０は、投稿コンテンツ数に１０を乗ずることにより、コンテンツ投稿の対価を示す対価額情報を取得する（Ｓ２２）。算出された対価額情報は、通信部３１を介してコンテンツ投稿装置１０へ送信される（Ｓ２３）。コンテンツ投稿装置１０のカード残高処理部２０は、ＩＣカード１２ａの電子マネー残高に対価額を加えることで、電子マネー残高を更新する（Ｓ２４）。
【００５８】
追加チャージ額の処理が終了すると、図８に示すように、表示部１５にはコンテンツの投稿及び追加チャージの完了したことを示す投稿終了画面が表示される（Ｓ２５）。図１１の例では、コンテンツ投稿により２５０円分のチャージが加算され、ＩＣカードの電子マネー残額が５２５０円となったことが示される。これにより、投稿したコンテンツの数に応じた額の電子マネーが、コンテンツ投稿の対価として与えられるので、利用者に対しコンテンツ投稿のインセンティブを与えることができる。
【００５９】
そして、投稿可能なコンテンツの数を示す投稿可能数を、利用者毎に定めておくことにより、対価取得目的で同一コンテンツを繰り返し投稿するといったことがなくなるから、コンテンツ収集／管理する事業者は、不必要なコンテンツが増加するのを抑制することができる。
【００６０】
さらに、ＩＣカードの利用額に応じてコンテンツの投稿可能数を増加させるから、コンテンツの投稿を欲する利用者はＩＣカードを利用するようになる。したがって、ＩＣカードの利用促進を図ることができる。
【００６１】
上記実施形態では、ＩＣカードの利用履歴情報のうち、利用金額の情報のみに基づいて、追加投稿可能数を算出しているが、利用場所ＩＤ及び利用時間の情報も用いることができる。例えば、利用場所ＩＤが所定値と一致する場合には、追加投稿可能数が通常の５倍になるように演算条件を定めても良く、これにより、所定の場所／地域におけるＩＣカードの利用を促進することができる。
【００６２】
また、ＩＣカードの利用時間が１２時から１４時までの間である場合には、追加投稿可能数が通常の２倍となるように演算条件を定めることもでき、これにより所定の時間におけるＩＣカードの利用促進を図ることができる。  
【００６３】
上記実施形態では、コンテンツ管理サーバ３０において、ＩＣカードの利用履歴情報に基づいて追加投稿可能数を算出しているが、コンテンツ投稿装置１０の投稿可能数情報取得部１９において、ＩＣカード１２ａに記録された利用履歴情報に基づき、追加投稿可能数を算出しても良い。また、カード残高処理部２０において、投稿されたコンテンツ数に１０を乗じた値を対価額として算出し、ＩＣカード１２ａの電子マネー残高に対価額を加えることで、電子マネー残高を更新しても良い。
【００６４】
上記実施形態では、コンテンツ投稿による対価として電子マネー残高を増やしているが、本発明はこれに限定されることはなく、例えばＩＣカードの事業者に固有のポイントを、コンテンツ投稿による対価として付与しても良い。これにより、例えば、コンテンツ投稿により得られたポイントを、ＩＣカードの事業者と提携関係にある交通機関や店舗において利用することができるから、利用者によるＩＣカードの利用を促進することができる。
【００６５】
また、図９に示す例では、コンテンツ収集システムの事業者と提携関係にある公共交通機関７０において、コンテンツ投稿装置１０に設けられているものと同様のＩＣカード情報取得部７１を備えている。公共交通機関７０の利用者は、ＩＣカード情報取得部７１にＩＣカード１２ａをセットすることで、ＩＣカード１２ａに入っているポイントを利用して決済を受けることができる。もちろん、電子マネーを用いて決済を行うことも可能である。
【００６６】
また、ＩＣカード１２ａがセットされると、ＩＣカード情報取得部７１において利用者ＩＤ及び利用履歴情報が読み出される。これらの情報は通信ネットワーク６０を介してコンテンツ管理サーバ３０に送られ、利用履歴ＤＢ３２が更新される。なお、図９では、公共交通機関を例にして説明したが、これに限られることはなく、例えば、コンテンツ収集システムの事業者と提携関係にある飲食店、土産物屋等の店舗にＩＣカード情報取得部７１を備えても良い。
【００６７】
上記実施形態では、投稿された全てのコンテンツをコンテンツＤＢ３３に記録しているが、コンテンツＤＢ３３に記録済みのコンテンツと同一のコンテンツが投稿された場合には、コンテンツ取得部３７において投稿コンテンツを削除しても良い。これにより、不要なコンテンツがコンテンツＤＢ３３に記録されるのを防止することができる。同一コンテンツであるか否かを検出する方法としては、コンテンツのタイプ（画像、音声）ごとに予め定められた特徴点を比較する方法や、コンテンツのヘッダ情報を比較する方法など、公知の方法を適用することができる。
【００６８】
上記実施形態では、ＩＣカードを利用した時期にかかわらず、利用履歴に応じて追加投稿可能数を定めているが、本発明はこれに限定されない。例えば、直近の一定期間（１ヶ月）あるいは特定期間におけるＩＣカードの利用履歴のみを利用履歴ＤＢ３２から読み出して、これが所定値を超えた場合にのみ投稿可能数を算出しても良い。そして、一定期間（例えば１月）が経過した後に、投稿可能数を０としても良い。これにより、ＩＣカードの利用に応じて、一定期間だけコンテンツの投稿を可能とするキャンペーンを実施することができ、ＩＣカードの利用及びコンテンツの投稿を促進することができる。
【００６９】
次に、本発明の第２の実施形態について説明する。第２の実施形態では、利用者やコンテンツ事業者等によって与えられた投稿コンテンツの評価情報に基づいて、ＩＣカードへの追加チャージ額が決定される。
【００７０】
図１０は、第２の実施形態に係るコンテンツ管理サーバ８０の構成を示したものである。投稿コンテンツに対する評価値を入力するために、コンテンツ管理サーバ８０は、評価値取得部８１、コンテンツＤＢ８２を備える。図１０において、前記第１の実施形態で説明したものと同一の構成部材については、同一の符番を付して詳細な説明を省略する。
【００７１】
評価値取得部８１は、制御部８３の中に設けられており、コンテンツＤＢ８２に保存されたコンテンツに対する５段階の評価値を取得する。この評価値は、通信ネットワーク５０を介して、コンテンツ利用者やコンテンツ管理サーバの事業者によって入力されるものである。
【００７２】
図１１に示すように、コンテンツＤＢ８２は、利用者ＩＤ及びコンテンツデータの他に、コンテンツに対する評価平均値、評価人数及び対価額のデータが、コンテンツＩＤに対応づけて記録されている。図１１の例では、コンテンツに対する５段階評価の平均値が、評価平均値としてコンテンツＤＢ８２に記録される。
【００７３】
制御部８３は、評価平均値に基づいて追加チャージ額を定めるため、対価額算出部８４を備える。対価額算出部８４は、評価値取得部８１からの５段階評価情報と、コンテンツＤＢ８２内の対応する評価平均値及び評価人数の情報とに基づいて、評価平均値を更新する。
【００７４】
例えば、図１１の例において、コンテンツＩＤ「０００１」に対応するコンテンツに対して、データベース利用者により「４」の評価情報が与えられた場合に、当該コンテンツに対する更新後の評価平均値は、（２．０×３＋４）／４＝２．５と定められる。
【００７５】
チャージ額算出部８４は、コンテンツの平均評価値の更新がなされたコンテンツに対する、電子マネーの対価額を、次の式に基づいて算出する。
対価額＝ＭＡＸ［（評価値−３），０］＊１０
【００７６】
例えば、図１１の例では、コンテンツＩＤ「０００１」のコンテンツに対する評価値は２．０であって３より小さいから、対価額は０となる。また、コンテンツＩＤ「０００２」のコンテンツに対する評価値は４．０であるから、対価額は１０円となる。
【００７７】
上記第２の実施形態に係るコンテンツ収集システムについて、図１２のフローチャートを用いて説明する。データベース利用者及び事業者は、パソコン等の情報処理端末より、通信ネットワーク５０を介してコンテンツ管理サーバ８０に接続し、コンテンツＤＢ８２よりコンテンツを読み出して閲覧する。そして、利用者及び事業者は、閲覧したコンテンツに対する５段階評価情報を入力する（Ｓ３１）。
【００７８】
評価情報が入力されると、コンテンツ管理サーバ８０の評価値取得部８１は、閲覧したコンテンツに対応する評価平均値、評価人数の情報を読み出すとともに、新たな評価平均値を算出して、コンテンツＤＢ８１の対応する評価平均値を更新する（Ｓ３２）。
【００７９】
次に、対価額算出部８４は、更新された評価平均値に基づいて、コンテンツに対する対価額を算出し、得られた値をコンテンツＤＢ８１の対応する部分に記録することで、対価額の更新を行う（Ｓ３３）。
【００８０】
コンテンツ投稿装置１０の利用者がＩＣカードＲ／ＷにＩＣカード１２ａをセットすると、図１３に示すメニュー画面が表示部１５に表示される（Ｓ３４）。このメニュー画面では、コンテンツの投稿を行う「コンテンツ投稿」ボタン８５と、ＩＣカードへの追加チャージを行う「追加チャージ」ボタン８６が表示される。ここで、「コンテンツ投稿」ボタンが操作された場合は、図５で示したシーケンスに従い、コンテンツの投稿処理が行われる。
【００８１】
一方、「追加チャージ」ボタン８６が操作されると（Ｓ３５）、コンテンツ投稿装置１０からコンテンツ管理サーバ８０に対して、利用者ＩＤのデータが送信される（Ｓ３６）。そして、対価額算出部８４は、当該利用者ＩＤに対応する全てのコンテンツの追加チャージ額情報を、コンテンツＤＢ８２から取得して、対価額の総和を算出することで追加チャージ額を取得する（Ｓ３７）。追加チャージ額情報は、通信ネットワーク５０を介してコンテンツ投稿装置１０へ送られる（Ｓ３８）。
【００８２】
次に、コンテンツ投稿装置１０のカード残高処理部２０は、ＩＣカードに記録された電子マネー残高情報に、コンテンツ管理サーバ８０から受信した追加チャージ総額を加えて、電子マネー残高を更新する（Ｓ３９）。そして、コンテンツ投稿装置１０より追加チャージを完了したことを示す追加チャージ完了通知を、コンテンツ管理サーバ８０へ送信する（Ｓ４０）。コンテンツ管理サーバ８０の対価額算出部８４は、コンテンツＤＢ８２にアクセスして、利用者ＩＤに対応する全ての評価平均値、評価人数及び対価額情報をリセットする（Ｓ４１）。これにより、対価額算出に用いられた評価情報が再び利用されるおそれをなくすことができる。
【００８３】
評価値、評価人数及び対価額情報がリセットされると、コンテンツ管理サーバ８０は、リセット完了通知をコンテンツ投稿装置１０へ送信する（Ｓ４２）。そして、図１４に示すようにコンテンツ投稿装置１０は、追加チャージが完了された旨のメッセージとともに、追加チャージ額及び電子マネー残高を示す追加チャージ通知画面を表示する（Ｓ４３）。
【００８４】
図１４の例では、コンテンツ評価値に基づく追加チャージ額が１５０円であり、ＩＣカード内の電子マネー残高が２１５０円に増加したことが表示される。これにより、投稿したコンテンツの評価に応じて対価額が変動することから、対価を欲する利用者は質の高いコンテンツを投稿するようになり、その結果、事業者は質の高いコンテンツを収集することができる。
【００８５】
上記第２の実施形態では、投稿コンテンツに対する評価平均値に応じて追加チャージ額を定めているが、評価平均値に応じてコンテンツの投稿可能数を加算しても良い（図１５）。投稿可能数の加算値については、対価額を算出したのと同様の演算に基づいて決定することができる。
【００８６】
上記第２の実施形態では、投稿コンテンツの評価値に応じた対価として電子マネー残高を増やしているが、本発明はこれに限定されることはなく、例えばＩＣカードの事業者に固有のポイントを対価として付与しても良い。
【００８７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００８８】
以上のように、本発明にかかるコンテンツ投稿装置は、コンテンツ投稿可能数を定めて投稿可能なコンテンツの数を制限したから、不必要なコンテンツが収集されるのを防止することができるという効果を奏し、例えばコンテンツデータベースを構築する際のコンテンツ投稿装置として有用である。
【図面の簡単な説明】
【００８９】
【図１】第１の実施形態に係るコンテンツ収集システムの構成を示すブロック図
【図２】利用履歴ＤＢの構成の一例を示す説明図
【図３】コンテンツＤＢの構成の一例を示す説明図
【図４】投稿可能数ＤＢの構成の一例を示す説明図
【図５】第１の実施形態に係るコンテンツ収集システムの動作を示すフローチャート
【図６】コンテンツ選択画面の一例を示す説明図
【図７】コンテンツ選択画面の別の一例を示す説明図
【図８】コンテンツ投稿完了画面の一例を示す説明図
【図９】コンテンツ収集システムの別の例を示すブロック図
【図１０】第２の実施形態に係るコンテンツ管理サーバの構成を示すブロック図
【図１１】コンテンツＤＢの構成の一例を示す説明図
【図１２】第２の実施形態に係るコンテンツ収集システムの動作を示すフローチャート
【図１３】メニュー選択画面の一例を示す説明図
【図１４】追加チャージ通知画面の一例を示す説明図
【図１５】追加投稿可能数を通知する画面の一例を示す説明図
【符号の説明】
【００９０】
１０  コンテンツ投稿装置  
１２ａ  ＩＣカード
１７、３７  コンテンツ取得部
１８、３８  ＩＣカード情報取得部
１９  投稿可能数情報取得部
２０  カード残高処理部
３０、８０  コンテンツ管理サーバ
３２  利用履歴ＤＢ
３３、８２  コンテンツＤＢ
３４  投稿可能数ＤＢ
３９  投稿可能数決定部
４０、８４  対価額算出部
８１  評価値取得部
【図１】
2010237981.tif 000003
【図２】
2010237981.tif 000004
【図３】
2010237981.tif 000005
【図４】
2010237981.tif 000006
【図５】
2010237981.tif 000007
【図６】
2010237981.tif 000008
【図７】
2010237981.tif 000009
【図８】
2010237981.tif 000010
【図９】
2010237981.tif 000011
【図１０】
2010237981.tif 000012
【図１１】
2010237981.tif 000013
【図１２】
2010237981.tif 000014
【図１３】
2010237981.tif 000015
【図１４】
2010237981.tif 000016
【図１５】
2010237981.tif 000017